(57)【特許請求の範囲】
【請求項１】
反転ラッチを備えた錠前におけるラッチガイドに於いて、該ラッチガイド５は、錠箱１のフロント２の開口３に嵌め込まれる枠状案内部材であり、該枠状案内部材は、垂直状態の左右縦枠部分１１ａ，１１ａと、該左右縦枠部分１１ａ，１１ａの上下端部にそれぞれ直交する上下横枠部分１１ｂ，１１ｂと、前記左右縦枠部分１１ａ，１１ａの上下左右の角部分に若干外方向に突出する突出端部と、これらの突出端部の間に形成されかつ前記開口３の左右の対向内壁面３ａ，３ｂに対し静音効果用の縦長間隙１５を有する横向き凹所１４と、前記上下横枠部分１１ｂ，１１ｂに形成された係合突起１２，１２とから構成され、錠箱１のフロント２の裏側に前記係合突起を介して添設固定されていることを特徴とする錠前におけるラッチガイド。
【請求項２】
反転ラッチを備えた錠前におけるラッチガイドに於いて、該ラッチガイドは、錠箱１のケース身とケース蓋のフロント側内壁面にそれぞれ対向状態に添設固定される一組の支持部材２１，２１Ａであり、これらの支持部材２１，２１Ａには、前記フロント側内壁面に対して静音効果用の空間を形成するための切欠部分２５が形成され、それらの切欠部分２５は、それぞれ逆コ字形状あるいはコ字形状の切欠であると共に、前記支持部材２１，２１Ａの上下のガイドアーム部分２１ｂ、２１ｂの各端部には錠箱１の被係合部２２に係入する取付け部分２６が突設されていることを特徴とする錠前におけるラッチガイド。
【請求項３】
反転ラッチを備えた錠前におけるラッチガイドに於いて、前記一つのラッチガイド５は、錠箱１のフロント２の開口３に嵌め込まれる枠状案内部材であり、該枠状案内部材は、垂直状態の左右縦枠部分１１ａ，１１ａと、該左右縦枠部分１１ａ，１１ａの上下端部にそれぞれ直交する上下横枠部分１１ｂ，１１ｂと、前記左右縦枠部分１１ａ，１１ａの上下左右の角部分に若干外方向に突出する突出端部と、これらの突出端部の間に形成されかつ前記開口３の左右の対向内壁面３ａ，３ｂに対し静音効果用の縦長間隙１５を有する横向き凹所１４と、前記上下横枠部分１１ｂ，１１ｂに形成された係合突起１２，１２とから構成され、錠箱１のフロント２の裏側に添設固定されていること、及びもう一つのラッチガイドは、錠箱１のケース身とケース蓋のフロント側内壁面にそれぞれ対向状態に添設固定される一組の支持部材２１，２１Ａであり、これらの支持部材２１，２１Ａには、前記フロント側内壁面に対して静音効果用の空間を形成するための横長の切欠部分２５、２５が形成されていることを特徴とする錠前におけるラッチガイド。
【請求項４】
請求項１に於いて、ラッチガイド５の左右縦枠部分１１ａ，１１ａには、後方に突出する一対の摘み部分１３，１３が設けられていることを特徴とする錠前におけるラッチガイド。
【発明の詳細な説明】
【技術分野】
【０００１】
本発明は、錠前におけるラッチガイドに関し、特に反転ラッチを備えた錠前におけるラッチガイドに関する。特に、本発明は、錠前の中でも、反転ラッチを備えたプッシュプル錠に適合する。
【背景技術】
【０００２】
特許文献１の従来の技術の欄には、錠箱のフロントの開口に案内枠状のラッチガイドを装着する旨が図面（図７、図８）と共に記載されている。特許文献１に記載の発明は、ラッチガイド筒を有するラッチガイドの改良例である。この改良例のラッチガイドも含め、従来のラッチガイドは、運搬中にフロントからラッチガイドが容易に外れないことやラッチガイドをフロントの開口に簡単に装着することができることを目的としていた。
【０００３】
また、特許文献２には、反転ラッチの構造及び該反転ラッチを案内することができるように錠箱に内装されたラッチガイドが記載されている（符号１３の部材）。
【０００４】
しかし、特許文献２に記載のラッチガイドも特許文献１の案内枠と同様に反転ラッチを案内することを目的とするものであり、反転ラッチの復帰時（自立時）に、換言すれば扉の開閉時の際に、反転ラッチの衝突面が錠箱側のラッチガイドの側壁に衝突することによって発生する衝撃音を低めに抑えるということを目的とするものではなかった。
【０００５】
なお、特許文献３は、ラッチ錠において、箱形ケースの表板（フロント）の通孔（開口）の矩形内側縁に嵌合し、かつ、ラッチ摺動用の矩形枠体を消音性の合成樹脂製案内枠にするというものである。
【特許文献１】特開２００４−３３９７３５号公報
【特許文献２】特開平８−１００５５９号公報
【特許文献３】実開平５−６７７８１号公報
【発明の開示】
【発明が解決しようとする課題】
【０００６】
本発明の第１の目的は、反転ラッチの復帰時（自立時）に「ラッチガイド」機能を有する部材に衝突して発生する衝撃音が伝播して、「いわゆる耳障り」にならないようにすることである。第２の目的は、静音効果、或いはダンパー効果を高めことができることである。第３の目的は、ラッチガイドを錠箱の内壁面に容易に取付けることである。
【課題を解決するための手段】
【０００７】
本発明の錠前におけるラッチガイドは、反転ラッチを備えた錠前におけるラッチガイドに於いて、該ラッチガイド５は、錠箱１のフロント２の開口３に嵌め込まれる枠状案内部材であり、該枠状案内部材は、垂直状態の左右縦枠部分１１ａ，１１ａと、該左右縦枠部分１１ａ，１１ａの上下端部にそれぞれ直交する上下横枠部分１１ｂ，１１ｂと、前記左右縦枠部分１１ａ，１１ａの上下左右の角部分に若干外方向に突出する突出端部と、これらの突出端部の間に形成されかつ前記開口３の左右の対向内壁面３ａ，３ｂに対し静音効果用の縦長間隙１５を有する横向き凹所１４と、前記上下横枠部分１１ｂ，１１ｂに形成された係合突起１２，１２とから構成され、錠箱１のフロント２の裏側に前記係合突起を介して添設固定されていることを特徴とする。
【０００８】
また、本発明の錠前におけるラッチガイドは、反転ラッチを備えた錠前におけるラッチガイドに於いて、該ラッチガイドは、錠箱１のケース身とケース蓋のフロント側内壁面にそれぞれ対向状態に添設固定される一組の支持部材２１，２１Ａであり、これらの支持部材２１，２１Ａには、前記フロント側内壁面に対して静音効果用の空間を形成するための切欠部分２５が形成され、それらの切欠部分２５は、それぞれ逆コ字形状あるいはコ字形状の切欠であると共に、前記支持部材２１，２１Ａの上下のガイドアーム部分２１ｂ、２１ｂの各端部には錠箱１の被係合部２２に係入する取付け部分２６が突設されていることを特徴とする。
【０００９】
さらに、本発明の錠前におけるラッチガイドは、反転ラッチを備えた錠前におけるラッチガイドに於いて、前記一つのラッチガイド５は、錠箱１のフロント２の開口３に嵌め込まれる枠状案内部材であり、該枠状案内部材は、垂直状態の左右縦枠部分１１ａ，１１ａと、該左右縦枠部分１１ａ，１１ａの上下端部にそれぞれ直交する上下横枠部分１１ｂ，１１ｂと、前記左右縦枠部分１１ａ，１１ａの上下左右の角部分に若干外方向に突出する突出端部と、これらの突出端部の間に形成されかつ前記開口３の左右の対向内壁面３ａ，３ｂに対し静音効果用の縦長間隙１５を有する横向き凹所１４と、前記上下横枠部分１１ｂ，１１ｂに形成された係合突起１２，１２とから構成され、錠箱１のフロント２の裏側に添設固定されていること、及びもう一つのラッチガイドは、錠箱１のケース身とケース蓋のフロント側内壁面にそれぞれ対向状態に添設固定される一組の支持部材２１，２１Ａであり、これらの支持部材２１，２１Ａには、前記フロント側内壁面に対して静音効果用の空間を形成するための横長の切欠部分２５、２５が形成されていることを特徴とする。
【発明の効果】
【００１０】
（１）錠箱にラッチガイドを装着すると、錠箱の内壁面とラッチガイドの側壁との間に静音用の間隙（空間）が形成されるので、反転ラッチの復帰時（自立時）に於いて、該反転ラッチの衝突に起因して発生する衝撃音が伝播して、「いわゆる耳障り」になるような状況を回避することができる。
（２）錠箱の内壁面に対する空間が多くなるので、静音効果、或いはダンパー効果をより一層高めことができる。
（３）ラッチガイド５が摘み部分１３を有する場合、また、ラッチガイド２１，２１Ａがそれぞれ錠箱の幅広側壁１ａ、１ｂの被係合部２２に係合する取付け部分２６を有する場合には、ラッチガイドを錠箱の内壁面に容易に取付けることができる。
（４）請求項４に記載の発明は、フロント及び錠箱の幅広側壁の両方で静音効果を得ることができる。
【発明を実施するための最良の形態】
【００１１】
以下、図１乃至図７に示す本発明を実施するための最良の形態（第１実施例）により説明する。
【００１２】
（１）発明の実施の環境
図１は発明の実施の環境を示す概略説明図である。各図に於いて、１は錠箱、２は錠箱１のフロント、３はフロント２に形成されたラッチ用の開口、４はラッチ、５はラッチガイドである。以下、本発明の特定要件について順次説明するが、細部的な事項は図面及びその説明を割愛する。
【００１３】
（２）錠箱１
錠箱１は、ケース身１ａと、ケース蓋１ｂと、フロント２から構成されている。ケース身１ａは一側開口のケース状に形成されている。ケース蓋１ｂは、固着具を介して前記一側開口を閉じるようにケース身１ａに固定される。図１では、ケース身１ａとケース蓋１ｂの一部分を示し、その余の部分は割愛している。
【００１４】
（３）フロント２
フロント２は、本実施例では、ケース身１ａの前壁に固定された長板状の裏板２ａと、この裏板２ａの前面に固定されたフロント本体２ｂとから成る。フロント本体２ｂの中央部には、例えば矩形状のラッチ用開口３が形成されている。また、図３で示すように、開口３付近の前記フロント本体２ｂの裏面に合計２個の係合突起６が設けられている。
【００１５】
しかして、上下の係合突起６と前記裏板２ａの上下の開口縁との間には、ラッチガイド５の後述する係合突起１２が係合する間隙部分７が設定されている。したがって、フロント本体２ｂの開口３と、裏板２ａのそれとを比較すると、裏板２ａの開口の方が若干大きい。
【００１６】
ところで、前記開口３は、図１、図２で示すように左右の対向内壁面３ａ，３ｂと、これらの対向内壁面３ａ，３ｂと直交する上下の内壁面３ｃ，３ｄを有する。本実施例では、左右の対向内壁面３ａ，３ｂは垂直面であるが、対称的な弧状に形成しても良い、また、上下の内壁面３ｃ，３ｄは水平面であるが、同様に対称的な弧状に形成しても良い。それ故に、開口３が完璧な矩形形状であることは発明の限定要件ではない。
【００１７】
（４）ラッチ４
ラッチ４は、本実施例では反転ラッチが用いられている。反転ラッチ４の構成は、特許文献２（特開平８−１００５５９号公報）に詳細に記載されている。例えば平面形がほぼ菱形をなす菱柱状体のブロックであること、錠箱に固設した案内枠内に摺動可能かつ反転可能に装着されていること、その前半部はフロントに設けた案内枠を介して出没すること、前半部と後半部にそれぞれ斜面状の側面を有すること、後半部側に配設した圧縮ばねにより、前方、かつ、一方向に向け回転（反転）させるように付勢されていること、後半部側にラッチ係止機構を構成する係止アームと係合する複数の受け部を有することなどである。本実施例の反転ラッチ４も、該公知事項の反転ラッチと同じである。
【００１８】
したがって、詳細な説明を割愛し、ここでは、図１を参照にして簡単に説明する。
さて、反転ラッチ４は、複数の当たり面を有するが、ここでは、図示しない扉を閉じる際に、戸枠の縦枠１０の縁部分１０ａに摺接する側面を摺接面４ａとし、一方、扉を閉じた際に、図示しないストライクに係入する側面（図１では対向内壁面３ａと平行となる面）を衝突面（係合面）４ｂとする。
【００１９】
図１では、扉の自由端部が矢印Ａ方向（閉扉方向）に移動すると、転ラッチ４は回転しながら開口３内へと回転しながら後退した後、縦枠１０の縁部分１０ａを超えて矢印で示す手前側に位置すると、錠箱内のラッチバネのバネ力により所定位置まで復帰回転しながら飛び出して、ストライクに係入すると同時に、その衝突面４ｂが前記開口の対向内壁面３ａに衝突する。この時、普通一般に、「衝突音」が発生する。
【００２０】
したがって、開口３にラッチガイド（案内枠）５を固定的に嵌め込んでいる場合には、扉の開閉時、当然、開口３から飛び出した反転ラッチ４は、ラッチガイド５の一方の縦方向の枠部分の内壁面に衝突することから、フロント２がラッチガイド５を有する場合であっても、前記「衝突音」が発生することになる。
【００２１】
（５）ラッチガイド５
ラッチガイド５は、図１〜図３で示すように、フロント本体２ｂの開口３内に嵌着する開口形成枠部１１と、この開口形成枠部１１の上下にそれぞれ突出形成された一組の係合突起１２とから成る。ラッチガイド５は、望ましくは開口３の形状に対応するように矩形状に形成されている。
【００２２】
したがって、本実施例のラッチガイド５は、垂直状態の左右縦枠部分１１ａ，１１ａと、左右縦枠部分１１ａ，１１ａの上下端部にそれぞれ直交する水平状態の横枠部分１１ｂ，１１ｂを有している。そして、一組の係合突起１２は、前記横枠部分１１ｂ，１１ｂの略中央部に裏板２ａ側へと短片状に連結する部分１１ｃを介して鉤状に突出している（図３）。
【００２３】
（６）本発明の特徴部分
次に、例えば図２を参照にして、本発明の特徴部分を説明する。図２はフロント２の開口３に開口形成枠部１１を嵌め込んだ状態に於いて、フロント本体２ｂ（正面）側から見た概略説明図である。この図から明らかなように、本実施例では、フロント２の開口３を形成する左右の対向内壁面３ａ，３ｂとラッチガイド５の左右縦枠部分１１ａ，１１ａとの間には、それぞれ縦長の隙間１５，１５が存在する。
【００２４】
付言すると、前記左右縦枠部分１１ａ，１１ａの外壁面側を縦長に切欠することにより、左右縦枠部分１１ａ，１１ａのいずれかに反転ラッチ４の衝突面４ｂが衝突した時に、その衝撃力がダイレクトにフロント２の左右の対向内壁面３ａ，３ｂに伝わり、その結果、衝撃音が「パーン」と錠箱１全体に伝播しないような工夫をしている（静音効果、或いは音の伝播抑制効果、図７参照）。
【００２５】
別な表現をすると、本発明の特徴点は、反転ラッチ４の衝撃力を起因とする音が「高め」であったのを、開口３の内面と案内枠５の枠部との間に設けた複数個の間隙１５を利用して、「衝撃音を低め」に抑えるようにしたことである。その一例として、ラッチガイド５の左右の縦枠部分１１ａにそれぞれ縦長の横向き凹所１４を形成した。したがって、例えばラッチガイド５の上下の横枠部分１１ｂ，１１ｂの突出端部が左右縦枠部分１１ａ，１１ａよりも若干外方向に突出している（図４、図５参照）。
【００２６】
（７）その他の事項
発明の実施の形態で示した実施例に於いて、ラッチガイド５の左右縦枠部分１１ａ，１１ａの後端面の中央部には、裏板２ａの開口方向へ延びる左右一対の摘み部分１３が設けられている。ラッチガイド５をフロント２の開口３に嵌め込む際、摘み部分１３を利用すると、ラッチガイド５を開口３に容易に嵌め込むことができるという利点がある。
【００２７】
また、ラッチガイド５の係合突起１２は鉤状に突出しているが、ラッチガイド５の取付け上の問題を考慮して、該鉤状の突出部分の後側を単数又は複数の段差状に形成しても良い。本実施例では、係合突起１２の形態を便宜上シンプルに示している。
【実施例】
【００２８】
以下、この欄では、本発明の第２実施例を説明する。なお、第２実施例のラッチガイドは、発明の主たる目的が第１実施例と一部同じであるが、構成が全く別なので、構成部分については別個の符号を用いることにする。但し、錠箱１、フロント２、ラッチ５については同一の符号を用いる。
【００２９】
図８乃至図１５に示す第２実施例のラッチガイド２１，２１Ａに於いて、第１実施例と主に異なる点、ラッチガイド２１，２１Ａの錠箱１に対する取付け箇所及び構成である。
まず、取付け箇所について説明する。例えば図８、図９、図１０で示すように、複数枚のラッチガイド（左右一組の枠状支持部材）２１，２１Ａは、錠箱１の幅広側壁の内壁面のフロント側にそれぞれ対向状態に固定的に添設される。
【００３０】
ここで、図８を基準にして説明すると、１ａはケース身の幅広側壁の一部分を示している。したがって、１ｂはケース蓋の一部分である。これらの幅広側壁１ａ、１ｂの適宜箇所には、上下方向に所定間隔を有して被係合部（例えば切欠部分）２２が一対形成されている。
【００３１】
一方、錠箱１の内壁面にそれぞれ添設される複数枚のラッチガイド２１，２１Ａは、本実施例では左右一組の逆コ字枠形状の支持部材である。この支持部材はコ字枠形状であっても良い。
【００３２】
図８を参照にすると、２１はケース身１ａの幅広側壁の内壁面に固定される一方側のラッチガイド、２１Ａはケース蓋１ｂの幅広側壁の内壁面に固定される他方側のラッチガイドである。
【００３３】
これらのラッチガイド２１，２１Ａは同一の構成なので、説明の便宜上、同一の符号を付す。図８に於いて、手前に見えるラッチガイド２１Ａは、ケース身１ａのラッチガイド２１を裏返した格好となる。付言すれば、図面上、ラッチガイド２１の見えない添設側が、手前のラッチガイド２１Ａの添設側と同様である理解することができる。
【００３４】
しかして、２１ａは縦方向の連結部分、２１ｂは連結部分２１ａの上下端部から水平方向に延びるガイドアーム部分である。ガイドアーム部分２１ｂ、２１ｂの間には横方向の切欠状空間部分２４が設けられている。
【００３５】
また、ラッチガイド２１，２１Ａの添設側（錠箱の内壁面に接合する側）には、錠箱１の内壁面との間に形成するための切欠部分（水平状の切欠、逆コ字形状の切欠など）２５が設けられている。
【００３６】
ラッチガイド２１，２１Ａの切欠部分２５は、本実施例では逆コ字形状の切欠である。そして、上下のガイドアーム部分２１ｂ、２１ｂの各端部には、錠箱１の被係合部２２にそれぞれ係入するコ字形状の取付け部分２６が突設されている。その他、上下のガイドアーム部分２１ｂ、２１ｂの適宜箇所には不番の小突起などが設けられている。
【００３７】
ラッチ４は、図８、図９等で示すように、左右のラッチガイド２１，２１Ａの間にサンドイッチ状態に位置付けられる。したがって、図８で示すラッチ４の後半部側の傾斜面は、その取付け態様によって、何れかのラッチガイド２１，２１Ａに衝突することになる。
【００３８】
このように、本発明の第１実施例のラッチガイド５、又は第２実施例のラッチガイド２１，２１Ａのいずれかを錠箱１に装着することにより、或いは図１５で示すように、ラッチガイド５及び横長の切欠部分２５をそれぞれ有する左右のラッチガイド２１，２１Ａの両方を錠箱１に装着すること（これを説明の便宜上、「第３実施例」という。）により、発明の目的（静音効果、ダンパー効果）をよりいっそう達成することができる。
【産業上の利用可能性】
【００３９】
本発明は、主に錠前、建具の業界で利用される。
【図面の簡単な説明】
【００４０】
図１乃至図７は本発明の最良の実施例（第１実施例）を示す各説明図。図８乃至図１４は本発明の第２実施例を示す各説明図。図１５は
【図１】第１実施例の斜視からの概略説明図。
【図２】フロントの正面側からの概略説明図。
【図３】ラッチガイドをフロントに装着した場合に於ける縦断面概略説明図。
【図４】ラッチガイドの正面図。
【図５】ラッチガイドの背面図。
【図６】図４の６−６線断面図。
【図７】ラッチの動きを説明する概略説明図。
【図８】第２実施例の斜視からの概略説明図。
【図９】主要部の縦断面概略説明図。
【図１０】主要部の横断面概略説明図。
【図１１】ラッチガイドの一側面から見た説明図。
【図１２】図１１の１２−１２線拡大断面図。
【図１３】ラッチガイドの他側面（添設側）から見た説明図。
【図１４】図１３の平面視からの説明図。
【図１５】図１５の（ａ）と（ｂ）は、第３実施例の各概略説明図。
【符号の説明】
【００４１】
1…錠箱、１ａ…ケース身、１ｂ…ケース蓋、２…フロント、２ａ…裏板、２ｂ…フロント本体、６…係合突起、７…間隙部分、３…開口、３ａ，３ｂ…左右の対向内壁面、３ｃ，３ｄ…上下の内壁面、４…ラッチ、４ａ…摺接面、４ｂ…衝突面、５…ラッチガイド、１０…縦枠、１０ａ…縁部分、Ａ…矢印方向（閉扉方向）、１１…開口形成枠部、１１ａ，１１ａ…左右縦枠部分、１１ｂ，１１ｂ…横枠部分、１１ｃ…連結する部分、１２…係合突起、１３…摘み部分、１４…縦長横向き凹所、１５…縦長の隙間、２１…一方側のラッチガイド、２１Ａ…他方側のラッチガイド、２１ａ…連結部分、２１ｂ…ガイドアーム部分、２２…被係合部、２４…空間部分、２５…切欠部分、２６…取付け部分。
【図１】
0004741349.tif 000002
【図２】
0004741349.tif 000003
【図３】
0004741349.tif 000004
【図４】
0004741349.tif 000005
【図５】
0004741349.tif 000006
【図６】
0004741349.tif 000007
【図７】
0004741349.tif 000008
【図８】
0004741349.tif 000009
【図９】
0004741349.tif 000010
【図１０】
0004741349.tif 000011
【図１１】
0004741349.tif 000012
【図１２】
0004741349.tif 000013
【図１３】
0004741349.tif 000014
【図１４】
0004741349.tif 000015
【図１５】
0004741349.tif 000016